(57)【要約】【課題】敷設されるシート状床材がカーペットタイルなどのように切断方向に継ぎ目が生じる場合であっても、継ぎ目部分で転動方向前側の型付けローラとカッターとの間で転動方向前側側のシート状床材の継ぎ目側端部が跳ね上がることがなく、切断位置がずれたりすることなくシート状床材を連続的に容易に切断することができるカッター装置を提供する。【解決手段】シート状床材の、転動方向前側側の型付けローラによって型付け状態にされた部分を、カッターに至るまで型付け状態を保つようにガイド面でガイドするガイド板が少なくとも転動方向前側側の型付け型付けローラとカッターとの間に設けられていることを特徴としている。【選択図】      図１
2006158558.tif 000002
【特許請求の範囲】
【請求項１】
凸面形状の湾曲面となった２つの型付けローラを有し、床面から壁面に跨がって敷かれたシート状床材をほぼ型付けローラの湾曲面に沿った型付け状態にするとともに、これらの型付けローラが床面および壁面との間でシート状床材の一部を挟みつつ、壁面に沿って転動し、この転動に伴って２つの型付けローラ間に設けられたカッターによってシート状床材を切断するシート状床材のカッター装置であって、
前記シート状床材の、転動方向前方側の型付けローラによって型付け状態にされた部分を、カッターに至るまで型付け状態を保つようにガイド面でガイドするガイド板が少なくとも転動方向前方側の型付け型付けローラとカッターとの間に設けられていることを特徴とするカッター装置。
【請求項２】
ガイド板のガイド面が、型付けローラの湾曲面にほぼ沿った湾曲形状を形成されている請求項１に記載のカッター装置。
【発明の詳細な説明】
【技術分野】
【０００１】
本発明は、カーペット、樹脂製シート状床材等のシート状床材を端面が壁面の下端に沿う長さに切断するカッター装置に関する。
【背景技術】
【０００２】
敷設面である家屋の床面にシート状床材を敷設施工する場合には、一方の壁際より反対側の壁に向かってシート状床材を敷設して行きシート状床材の余った部分を切断し、切断縁を反対側の壁の下端（幅木等）と床面とのコーナーに一致させるようにしている。
ところで、薄肉で折れ曲げやすいシート状床材の場合、図３に示すように、シート状床材１００の余った部分を屈曲部が壁の下端２００と床面３００とのコーナー４００に沿うようにＬ字形に屈曲させて、このＬ字の屈曲部をカッター５００で切断することによって切断縁を反対側の壁の下端と床面とのコーナーに一致させるようにしている（たとえば、特許文献１参照）。
【０００３】
しかし、シート状床材には、樹脂製の多層構造になったものや硬質樹脂からなるもの等があるが、このような多層構造や硬質樹脂からなるシート状床材の場合、シート状床材を上記のようにＬ字形に屈曲させようとすると、屈曲部に層間剥離やひび割れ等が生じてしまい、切断縁がうまく壁の下端と床面とのコーナーに一致しない場合がある。
【０００４】
そこで、このような多層構造や硬質樹脂からなるシート状床材を壁の下端と床面とのコーナーに合わせて切断する方法として、図４および図５に示すようなカッター装置６００を用いる方法が既に行われている。
【０００５】
このカッター装置６００は、凸面形状の湾曲面となった２つの型付けローラ６１０を有し、図５に示すように、これらの型付けローラ６１０が壁の下端２００と床面３００との間で床面３００から壁の下端２００に跨がって敷かれたシート状床材１００の余剰部およびその近傍の一部を挟みつつ型付けローラ６１０の湾曲面にほぼ沿うように型付けしながら壁の下端２００に沿って転動することによって、２つの型付けローラ６１０間に設けられたカッター６２０によってシート状床材１００を切断するようになっている。
【０００６】
すなわち、このカッター装置６００によれば、型付けローラ６１０が、シート状材料１００の材質に合わせて最適な湾曲形状になっていて、シート状材料１００が層間剥離やひび割れ等が生じない湾曲形状にシート状材料１００を保ちながら転動し、型付けローラ６１０によって型付けされた湾曲部（図示せず）と床面３００および壁の下端２００との間に隙間を形成した状態でカッターでこの湾曲部をその稜線方向に切断するようになっているので、樹脂製の多層構造になったシート状床材や硬質樹脂からなるシート状床材の場合も、層間剥離やひび割れ等が生じることなく切断縁がうまく壁の下端と床面とのコーナーに一致するように切断することができる。
【０００７】
しかしながら、上記カッター装置６００は、たとえば、シート状床材がタイルカーペットなどのように短寸法で、型付けローラの転動方向に複数枚連接して敷設されるような場合、以下のような問題が生じる恐れがある。
【０００８】
すなわち、シート状床材が型付けローラ６１０の転動方向に複数枚連接されて敷設されるような場合、型付けローラ６１０を転動させて行き、転動方向前側の型付けローラ（以下、「前側ローラ」と記す）がシート状床材とシート状床材との継ぎ目部分を乗り越えてシート転動方向前側に位置するシート状床材（以下、「前側シート状床材」と記す）に乗り移り、さらに転動してカッターが前側シート状床材の継ぎ目側端面に至るまでの区間においては、前側シート状床材は、前側ローラによる床面および壁の下端との間で挟まれた部分から前側シート状床材の継ぎ目側端縁に部分が、上方から押さえられていないため、シート状床材の材質や層構造によっては、シート状床材の継ぎ目部近傍が壁から跳ね上がったようになる。そして、この跳ね上がり状態のままカッターが前側シート状床材の継ぎ目端部に至ると、切断位置がずれてしまい、シート状床材の切断縁がうまくコーナーに沿わなくなる。したがって、カッターがシート状床材の継ぎ目側端面に至り正確に切断位置にあたるように、シート状床材の端部を押さえる必要があり、作業に熟練を要する。
【０００９】
【特許文献１】特開平５−１３８５８６号公報
【発明の開示】
【発明が解決しようとする課題】
【００１０】
本発明は、上記事情に鑑みて、敷設されるシート状床材がカーペットタイルなどのように切断方向に継ぎ目が生じる場合であっても、継ぎ目部分で転動方向前側の型付けローラとカッターとの間で転動方向前側側のシート状床材の継ぎ目側端部が跳ね上がることがなく、切断位置がずれたりすることなくシート状床材を連続的に容易に切断することができるカッター装置を提供することを目的としている。
【課題を解決するための手段】
【００１１】
上記目的を達成するために、本発明の請求項１に記載のカッター装置（以下、「請求項１のカッター装置」と記す）は、凸面形状の湾曲面となった２つの型付けローラを有し、床面から壁面に跨がって敷かれたシート状床材をほぼ型付けローラの湾曲面に沿った型付け状態にするとともに、これらの型付けローラが床面および壁面との間でシート状床材の一部を挟みつつ、壁面に沿って転動し、この転動に伴って２つの型付けローラ間に設けられたカッターによってシート状床材を切断するシート状床材のカッター装置であって、
前記シート状床材の、転動方向前側側の型付けローラによって型付け状態にされた部分を、カッターに至るまで型付け状態を保つようにガイド面でガイドするガイド板が少なくとも転動方向前側側の型付け型付けローラとカッターとの間に設けられていることを特徴としている。
【００１２】
本発明の請求項２に記載のカッター装置（以下、「請求項２のカッター装置」と記す）は、請求項１のカッター装置において、ガイド板の押さえ面が、型付けローラの湾曲面にほぼ沿った湾曲形状を形成されていることを特徴としている。
【００１３】
本発明にかかるカッター装置は、長尺のシート状床材の切断やタイルカーペット等の短尺のシート状床材の切断に用いることができ、その用途は特に限定されないが、特にタイルカーペットを床面と壁面（幅木）とのコーナー部に合わせて切断するのに好適に用いられる。
カッターとしては、特に限定されないが、たとえば、市販の厚物切り用ＮＴカッター（エヌティ社の商標）等の替え刃が好適である。
【発明の効果】
【００１４】
以上のように、請求項１のカッター装置は、シート状床材の、転動方向前側側の型付けローラによって型付け状態にされた部分を、カッターに至るまで型付け状態を保つようにガイド面でガイドするガイド板が少なくとも転動方向前側側の型付け型付けローラとカッターとの間に設けられているので、一旦型付けローラで型付けされたシート状床材は、カッターによって切断されるまで、ガイド板によって型付け状態が保たれる。したがって、敷設されるシート状床材がカーペットタイルなどのように切断方向に継ぎ目が生じる場合であっても、継ぎ目部分で転動方向前側の型付けローラとカッターとの間で転動方向前側側のシート状床材の端部が跳ね上がることがなく、切断位置がずれたりすることなくシート状床材を連続的に切断することができる。
【００１５】
請求項２のカッター装置は、ガイド板のガイド面が、型付けローラの湾曲面にほぼ沿った湾曲形状を形成されている
【発明を実施するための最良の形態】
【００１６】
以下に、本発明を、その実施の形態をあらわす図面を参照しつつ詳しく説明する。
図１および図２は、本発明にかかるカッター装置の１つの実施の形態をあらわしている。
【００１７】
図１および図２に示すように、このカッター装置１は、装置本体２と、２つの型付けローラ３と、２つのガイドローラ４と、ガイド板５とを備えている。
装置本体２は、ローラ支持部２１と、ハンドル部２２と、カッター支持部２３とを備えている。
【００１８】
ローラ支持部２１は、矩形をしていて中央に後述するカッター支持部２３の角度調整ナット２４が装着される長孔２５ａを備えた本体部２５と、この本体部２５の長手方向両端部で両側に延出する軸受け部２６と、本体部２５の中央部から一側に延出するカッター支持部２３の下端受け部２７とを備えている。
下端受け部２７は、後述するカッター支持部２３の下端が遊嵌され上下方向にカッター支持部２３の傾斜角度で傾く切欠溝２７ａがその水平方向先端部に設けられている。
【００１９】
下端受け部２７の切欠溝２７ａの一方の側壁には、切欠溝２７ａに向かって貫通しカッター支持部２３の固定ねじ２８が螺合するねじ孔が穿設されている。
切欠溝２７ａの底には、長孔２５ａに連通し、後述するカッター支持部２３の角度調整アーム（図示せず）が進退自在に挿通される貫通孔（図示せず）が穿設されている。
【００２０】
ハンドル部２２は、ローラ支持部２１の上面にアーチ状に設けられていて、一側に厚肉の握り部２２ａが設けられ、他側上端に上記下端受け部２７と同一方向に延出するカッター支持部２３の枢支部２２ｂを備えている。
【００２１】
枢支部２２ｂは、下端受け部２７の切欠溝２７ａと同じ角度で傾き、カッター支持部２３の上端部が嵌まり込む切欠溝２２ｃがその水平方向先端部に設けられている。
枢支部２２ｂの切欠溝２２ｃの両側壁には、切欠溝２２ｃに向かって貫通するカッター支持部２３の枢支ねじ２２ｄが螺合するねじ孔が穿設されている。
【００２２】
カッター支持部２３は、一側面にカッターＣがスライド自在に嵌まり込む断面略コ字形のカッター支持溝２３ａが穿設されていて、その上端部が枢支部２２ｂの切欠溝２２ｃに嵌まり込み、枢支部２２ｂのねじ孔にねじ込まれた枢支ねじ２２ｄの先端部に回動自在に枢支されている。
【００２３】
また、カッター支持部２３の下端部には、カッター支持溝２３ａを覆うようにカッターＣの固定ねじ支持部２３ｂが設けられていて、固定ねじ支持部２３ｂと反対側の面に角度調整ナット２４が螺合するねじ部を先端に備え、下端受け部２７に設けられた貫通孔に挿通される角度調整アームの一端が固定されている。
固定ねじ支持部２３ｂには、固定ねじ２３ｄが螺合するねじ孔が穿設されている。
【００２４】
２つの型付けローラ３は、凸面形状の湾曲面３１を備え、下端受け部２７を挟んで両側に配置された軸受け部２６に回転自在に軸支されている。
【００２５】
２つのガイドローラ４は、円錐台形状をしていて、小径側が本体部２５側を向くとともに、その下端が水平となるように、本体部２５を挟んで型付けローラ３と反対側の軸受け部２６に回転自在に支持されている。
【００２６】
ガイド板５は、ガイド本体部５１と固定される固定部５２とを備えている。
ガイド本体部５１は、ガイド面が型付けローラ３の湾曲面３１にほぼ沿った湾曲形状を形成され、２つの型付けローラ３間の距離より少し短い幅をしていて、その中央部にカッターＣの刃先が出没自在な長孔５３が穿設されている。
【００２７】
固定部５２は、ガイド本体部５１の中央部下端から下端受け部２７側に延出するように設けられていて、２つの固定ねじ挿通孔ごしに固定ねじ５４を下端受け部２７の下面に設けられたねじ孔にねじ込むことによって下端受け部２７にガイド板５を固定するようになっている。
なお、この固定状態でガイド本体部５１のガイド面がカッターＣと両側の型付けローラ３との間に設けられたようなる。また、図示していないが、固定部５２に設けられた固定ねじ挿通孔は、長孔になっていて、ガイド本体部５１の位置を調整できるようになっている。
【００２８】
つぎに、このカッター装置１は、たとえば、以下のようにして使用することができる。
（１）型付けローラ３の回転軸より上側にシート状床材の端部がくるようにシート状床材を設置する。
（２）固定ねじ２８を緩め、角度調整ナット２４を回転させて角度調整アームをその軸方向に進退させてカッター支持部２３と下端受け部２７の切欠溝２７ａの底との隙間を切断しようとするシート状床材の厚みに合わせたのち、固定ねじ２８を締め込んでカッター支持部２３を固定する。
【００２９】
（３）型付けローラ３を床面と壁の下端とで形成される９０°のコーナー部に押し当てた状態で、固定ねじ２３ｄを緩め、カッターＣをカッター支持溝２３ａの上下方向にスライドさせ、敷設されるシート状床材の厚みに合わせて刃先の下方への出幅を調整したのち、固定ねじ２３ｄを締め込み、カッターＣを上下方向にスライドしないように固定する。
（４）従来のカッター装置６００と同様にしてシート状床材を切断する。
【００３０】
すなわち、このカッター装置１によれば、ガイド板５を備えているので、一旦、型付けローラ３で型付けされたシート状床材は、カッターＣによって切断されるまで、ガイド板５によって型付け状態が保たれる。したがって、敷設されるシート状床材がカーペットタイルなどのように切断方向に継ぎ目が生じる場合であっても、継ぎ目部分で転動方向前側の型付けローラ３とカッターＣとの間で転動方向前側側のシート状床材の端部が跳ね上がることがなく、切断位置がずれたりすることなくシート状床材を連続的に切断することができる。
【００３１】
本発明にかかるカッター装置は、上記の実施の形態に限定されない。たとえば、上記の実施の形態では、ガイド本体部５１がカッターの前後に跨がるように設けられていたが、型付けローラの転動方向前側のみに設けられていても構わない。
上記の実施の形態では、ガイドローラを２つ備えていたが、１つでも構わない。また、３つ以上でも構わない。
【図面の簡単な説明】
【００３２】
【図１】本発明にかかるカッター装置の１つの実施の形態をあらわし、その上側から見た斜視図である。
【図２】図１のカッター装置を下側から見た斜視図である
【図３】従来のシート状床材の敷設方法を説明する斜視図である。
【図４】従来のカッター装置の斜視図である。
【図５】図４のカッター装置を用いたシート状床材の敷設方法を説明する斜視図である。
【符号の説明】
【００３３】
１  カッター装置
２  装置本体
３  型付けローラ
３１  湾曲面
５  ガイド板
５１  ガイド本体部
Ｃ  カッター
【図１】
2006158558.tif 000003
【図２】
2006158558.tif 000004
【図３】
2006158558.tif 000005
【図４】
2006158558.tif 000006
【図５】
2006158558.tif 000007